(57)【要約】  熱交換システム、空調制御システムおよび空調システム制御方法が提供される。熱交換システムにおける制御部は、複数の電子膨張弁の各開度をそれぞれ調整し、それらの電子膨張弁を制御して、パワーを下げられる前に初期化状態および位置情報を記憶させることにより、次にパワーを上げられたときには、それらの電子膨張弁がまず初期化状態切り替えを行えるようにする。これにより、電子膨張弁に乱れが生じるリスクを低減し、システムの起動時間を短縮する。【選択図】図６
2018527545.tif 000002
【特許請求の範囲】
【請求項１】
圧縮機と、
第１の熱交換器と、
少なくとも１つの蒸発器と、
少なくとも１つの電子膨張弁と、
を備える熱交換システムであって、
前記第１の熱交換器は、前記圧縮機の吐出口と前記電子膨張弁の入口との間にパイプライン上に配置され、前記蒸発器の出口と前記圧縮機の吸入口とはパイプラインを介して連通しており、前記熱交換システムの制御ユニットは、前記電子膨張弁の開度を制御するように構成されており、
前記熱交換システムの前記制御ユニットは、前記電子膨張弁の初期化状態情報を記憶するように構成されており、前記初期化状態情報は少なくとも初期化完了状態を含み、前記電子膨張弁は前記初期化状態情報に基づいて、初期化状態を初期化完了状態へと切り替え、その後、前記電子膨張弁の開度が調整され、および／または、
前記熱交換システムの前記制御ユニットは、前記制御ユニットにより記憶された前記電子膨張弁の位置情報に基づいて、前記電子膨張弁の前記位置情報を前記電子膨張弁の初期位置情報として用いるように構成され、前記電子膨張弁は、前記初期位置情報に基づいて前記初期化完了状態になるように調整された後、前記電子膨張弁の開度が調整される、熱交換システム。
【請求項２】
前記熱交換システムの前記制御ユニットは、
空調コントローラと、
前記電子膨張弁の機械部を動作可能に制御するように構成された、前記電子膨張弁用の電子制御ユニットと、
を備える、熱交換システムにおいて、
前記空調コントローラまたは前記電子制御ユニットは、初期化状態切り替えサブユニットを備えており、前記初期化状態切り替えサブユニットは、
前記電子膨張弁の少なくとも前記初期化状態情報を識別または抽出するように構成され、前記電子膨張弁は前記初期化状態情報に従って前記初期化状態を前記初期化完了状態へと切り替え、および／または、
前記電子膨張弁の前記位置情報を前記電子膨張弁の前記初期位置情報として用いるように構成され、前記電子膨張弁は前記初期位置情報に基づいて前記初期化完了状態へと調整される、請求項１に記載の熱交換システム。
【請求項３】
前記少なくとも１つの蒸発器は、第１の蒸発器と第２の蒸発器とを備え、前記少なくとも１つの電子膨張弁は、第１の電子膨張弁と第２の電子膨張弁とを備えており、
前記熱交換システムは第２の熱交換器をさらに備え、前記第２の熱交換器は第１の熱交換部と第２の熱交換部とを備えており、前記第１の熱交換部および前記第２の熱交換部は互いに熱交換可能に構成されており、
前記第１の熱交換部は、前記第１の熱交換器の出口と、前記第１の電子膨張弁の入口および前記第２の電子膨張弁の入口の少なくとも１つとの間にパイプライン上に配置され、前記第２の熱交換部は、前記圧縮機の前記吸入口と、前記第１の蒸発器の出口および前記第２の蒸発器の出口の少なくとも１つとの間にパイプライン上に配置され、
前記熱交換システムにおいて、前記第１の蒸発器および前記第２の蒸発器は並列に配置され、前記第１の電子膨張弁および前記第１の蒸発器は直列に配置され、前記第２の電子膨張弁および前記第２の蒸発器は直列に配置される、請求項１または２に記載の熱交換システム。
【請求項４】
前記熱交換システムは、加熱換気式空調機冷却システムであって、前記熱交換システムは第３の電子膨張弁と冷却器とをさらに備えており、前記第３の電子膨張弁および前記冷却器は、前記第１の熱交換器の前記出口と前記圧縮機の前記吸入口との間に配置され、前記冷却器は前記第１の蒸発器および前記第２の蒸発器と並列に配置される、請求項３に記載の熱交換システム。
【請求項５】
前記熱交換システムは第３の電子膨張弁と冷却器とをさらに備えており、前記第３の電子膨張弁および前記冷却器は、前記第１の熱交換器の前記出口と前記圧縮機の前記吸入口との間に配置され、前記冷却器は前記第１の蒸発器および前記第２の蒸発器と並列に配置されており、
前記第３の電子膨張弁および前記冷却器は直列に配置され、バッテリ冷却器が位置する分岐部における冷媒流は、前記第３の電子膨張弁の開度を調整することにより制御され、前記冷却器は発熱部材の温度を低下させるように構成され、前記発熱部材に設けられた冷却素子であって、
前記第３の電子膨張弁は、前記熱交換システムの前記制御ユニットにより記憶された、前記第３の電子膨張弁の初期化状態情報に基づいて、初期化状態を初期化完了状態へと切り替えた後、前記第３の電子膨張弁の開度が調整され、および／または、
前記制御ユニットの初期化状態切り替えサブユニットは、前記熱交換システムの前記制御ユニットにより記憶された、前記第３の電子膨張弁の位置情報に基づいて、前記第３の電子膨張弁の位置情報を前記電子膨張弁の初期位置情報として用い、前記電子膨張弁が、前記初期位置情報に基づいて初期化完了状態に調整された後、前記第３の電子膨張弁の開度が調整される、請求項３または４に記載の熱交換システム。
【請求項６】
空調コントローラと、
電子膨張弁の動作を制御する電子制御ユニットと、
を備える空調制御システムであって、
前記空調コントローラは空調制御中心であって、車両システムまたは制御パネルの制御信号および入力情報のうち少なくとも１つを受信・解析し、前記解析した制御信号を前記電子膨張弁へと送信するように構成され、前記電子膨張弁は前記制御信号に基づいて動作し、
前記電子制御ユニットは、前記空調コントローラにより送信された制御情報およびセンサ情報のうち少なくとも１つを受信・解析し、前記電子制御ユニットにより記憶され、前記電子膨張弁用にあらかじめ設定された制御プログラム、および前記電子制御ユニットにより記憶されたフィードバック情報のうち少なくとも１つに基づいて演算を行うことにより制御信号を取得し、前記制御信号を、前記電子膨張弁により実現され得る電気量へと変換し、かつ前記電子膨張弁を前記電気量だけ制御するように構成され、
前記空調コントローラが、前記電子膨張弁の初期化状態情報を記憶するように構成された記憶ユニットを備え、前記初期化状態情報は、少なくとも初期化完了状態を含みるか、または前記電子制御ユニットが、前記電子膨張弁の初期化状態情報を記憶するように構成された記憶ユニットを備え、
前記電子膨張弁は、前記記憶ユニットにより提供された、前記電子膨張弁の初期化状態情報に基づいて、初期化状態を初期化完了状態へと切り替える、空調制御システム。
【請求項７】
前記記憶ユニットは、さらに前記電子膨張弁の位置情報を記憶するように構成され、
前記記憶ユニットにより提供された前記位置情報と前記初期化状態情報とに基づいて、初期化切り替え信号が得られ、前記電子制御ユニットは、前記電子膨張弁を制御して、前記初期化切り替え信号に基づいて前記初期化状態の切り替えを完了させる、請求項６に記載の空調制御システム。
【請求項８】
前記空調コントローラまたは前記電子制御ユニットは、初期化状態切り替えサブユニットを備えており、前記初期化状態切り替えサブユニットは、
前記電子膨張弁の少なくとも前記初期化状態情報を識別または抽出し、前記電子膨張弁を制御して、前記初期化状態を前記初期化完了状態へと切り替えさせるように構成され、
前記記憶ユニットにより記憶された、前記電子膨張弁の位置情報に基づいて、前記電子膨張弁の前記記憶された位置情報を前記電子膨張弁の初期位置情報として用いるように構成されており、これにより前記電子膨張弁は、前記初期位置情報を取得し、前記初期位置情報に基づいて前記初期化完了状態へと調整された後、前記電子膨張弁の開度が調整される、請求項６または７に記載の空調制御システム。
【請求項９】
前記記憶ユニットは、前記空調コントローラまたは前記電子制御ユニットの中央処理モジュールに配置され、前記記憶ユニットは不揮発性記憶素子であって、
前記空調コントローラの前記記憶ユニットまたは前記電子制御ユニットの前記記憶ユニットは、前記空調コントローラが前記電子膨張弁のパワーを下げるように制御するプログラムの実行を開始すると、少なくとも前記電子膨張弁の位置情報および初期化状態情報を記憶することにより、初期化状態切り替えサブユニットにより識別されるように構成され、
前記初期化状態切り替えサブユニットは、前記空調コントローラが前記電子膨張弁のパワーを上げるように制御するプログラムの実行を開始すると、前記記憶ユニットにより記憶された情報に基づいて、前記電子膨張弁の少なくとも初期化状態情報を識別するか抽出し、前記電子膨張弁を制御して前記初期化状態を前記初期化完了状態へと切り替えさせ、前記記憶ユニットにより記憶された、前記電子膨張弁の前記位置情報を初期位置情報として用いるように構成されることにより、前記電子膨張弁は、前記初期位置情報に基づいて前記初期化完了状態へと調整される、請求項６から８のいずれか１つに記載の空調制御システム。
【請求項１０】
初期化状態切り替え信号は前記初期化状態情報と位置情報とを備え、前記空調コントローラが、ローカルインターネットネットワーク制御モードにおいて前記初期化状態切り替え信号を前記電子制御ユニットに与え、前記電子制御ユニットが、前記初期化状態切り替え信号を受信することにより、前記電子膨張弁の状態を前記初期化完了状態へと切り替え、前記記憶された位置情報を受信することにより前記位置情報を前記電子膨張弁の初期位置情報に設定するように構成され、
前記電子制御ユニットが、前記記憶された初期化状態情報に含まれる前記初期化完了状態を読み出し、前記電子膨張弁の状態を前記初期化完了状態へと切り替え、記憶された位置情報を読み出すことにより前記位置情報を前記電子膨張弁の初期位置情報に設定するように構成されるかまたは、
前記空調コントローラが、前記記憶された初期化状態情報に含まれる前記初期化完了状態と、記憶された位置情報とを読み出し、前記初期化完了状態と前記位置情報とを前記電子制御ユニットへと提供することにより、前記電子膨張弁の状態を前記初期化状態へと切り替え、前記記憶された位置情報を前記電子膨張弁の初期位置情報に設定するように構成される、請求項６から９のいずれか１つに記載の空調制御システム。
【請求項１１】
前記空調コントローラにより前記電子膨張弁に与えられる初期化状態切り替え信号はＬＩＮ信号であり、前記初期化状態切り替え信号は、少なくとも２ＬＩＮデータバイトからなり、前記２ＬＩＮデータバイトはそれぞれ８データビットからなり、
記憶された位置情報は、Ｎ番目のバイトの全８ビットと（Ｎ＋１）番目のバイトの下位２ビット（ビット０およびビット１）とにより表され、前記初期化状態情報は（Ｎ＋１）番目のバイトの上位２ビット（ビット６およびビット７）により表され、ここでＮは１以上であり、
前記空調コントローラは、前記初期化状態情報と、前記記憶された位置情報とを、前記初期化状態切り替え信号により、前記電子膨張弁の前記電子制御ユニットへと送信するように構成される、請求項６から１０のいずれか１つに記載の空調制御システム。
【請求項１２】
前記空調コントローラは、空調システムの主制御パネルに関する入力情報およびセンサ情報のうち少なくとも１つを受信するように構成され、前記電子制御ユニットは、前記空調コントローラにより送信された制御情報およびセンサ情報のうち少なくとも１つを受信・解析し、前記電子制御ユニットにより記憶され、前記電子膨張弁用にあらかじめ設定された制御プログラム、および前記電子制御ユニットにより記憶されたフィードバック情報のうち少なくとも１つに基づいて演算を行うことにより制御信号を取得し、前記制御信号を、前記電子膨張弁により実現され得る電気量へと変換し、かつ前記電子膨張弁を前記電気量だけ制御するように構成され、前記空調コントローラは、前記記憶ユニットを設けることにより、前記電子膨張弁に関する位置情報および初期化状態情報を記憶し、前記記憶した情報を前記電子制御ユニットへと送信し、前記制御信号は少なくとも初期化状態切り替え信号を有するか、または、前記電子制御ユニットは、記憶ユニットを設けることにより、前記フィードバック情報を記憶し、前記フィードバック情報は、少なくとも前記電子制御ユニットの前記記憶ユニットにより記憶された前記初期化状態情報と、前記位置情報とを有することにより、前記電子制御ユニットにより読み出されるようになっており、
前記空調コントローラは、空調システムの主制御パネルに関する入力情報およびセンサ情報のうち少なくとも１つを受信し、前記空調コントローラにより記憶され、前記電子膨張弁用にあらかじめ設定された制御プログラム、および前記空調コントローラにより記憶されたフィードバック情報のうち少なくとも１つに基づいて演算を行うことにより制御信号を取得し、前記制御信号を前記電子制御ユニットへと送信するように構成され、前記電子制御ユニットは、前記制御信号を、前記電子膨張弁により実現され得る電気量へと変換し、かつ前記電子膨張弁を前記電気量だけ制御するように構成され、前記空調コントローラにより記憶される前記フィードバック情報は、少なくとも前記初期化状態情報と位置情報とを有する、請求項６から１１のいずれか１つに記載の空調制御システム。
【請求項１３】
前記空調コントローラには中央処理モジュールが設けられ、前記電子膨張弁の前記電子制御ユニットにはＬＩＮ送受信モジュールと、中央処理モジュールと、駆動制御モジュールと、駆動モジュールと、が設けられており、バス送受信モジュールが、ＬＩＮバス上で検出された信号を前記中央処理モジュールへと送信するように構成され、前記中央処理モジュールは、空調システムの主制御パネルから制御情報を受信して解析し、前記電子膨張弁用に解析した制御信号を前記駆動制御モジュールへと送信し、前記電子膨張弁の現在位置情報を記録または記憶し、解析結果に対応するフィードバック信号を、前記バス送受信モジュールを介して前記ＬＩＮバスへと送信するように構成され、前記記憶ユニットは、前記電子制御ユニットの前記中央処理モジュール内に一体的に配置され、前記制御信号が初期化状態切り替え信号を有するか、または前記記憶ユニットが、前記空調コントローラの前記中央処理モジュール内に配置され、
前記空調コントローラには中央処理モジュールが設けられ、前記電子制御ユニットには駆動制御モジュールと駆動モジュールとが設けられ、前記空調コントローラの前記中央処理モジュールは、入力情報およびセンサ情報のうち少なくとも１つを受信し、前記電子膨張弁用の制御信号を演算により生成し、前記制御信号を前記駆動制御モジュールへと送信し、前記電子膨張弁の現在位置情報を記録または記憶するように構成されており、前記空調コントローラの前記記憶ユニットは前記空調コントローラの前記中央処理モジュール内に一体的に配置され、
ステッピング駆動制御モジュールが、前記電子膨張弁を制御する前記制御信号であって、前記空調コントローラまたは前記電子制御ユニットの前記中央処理モジュールにより送信される、前記制御信号を受信し、前記制御信号を前記駆動モジュールへと送信するように構成され、前記駆動モジュールは、前記制御信号に対する要件を満たす電気信号を電子コイルに与えるように構成され、前記電気信号を前記電子コイルに印加することにより、ニードル弁が動作可能に制御される、請求項６から１２のいずれか１つに記載の空調制御システム。
【請求項１４】
空調システムの電子膨張弁を制御する方法を含む、前記空調システムを制御する方法であって、前記電子膨張弁を制御する方法は、
空調コントローラが、前記電子膨張弁のパワーを下げるように制御するプログラムの実行を開始するときに、前記空調コントローラまたは電子制御ユニットに内蔵された記憶ユニットにより、前記電子膨張弁の初期化完了状態および位置情報を記憶することと、前記電子膨張弁の前記初期化完了状態および前記位置情報が記憶された後に、前記電子膨張弁のパワーを下げるように制御することと、を含み、前記電子膨張弁は、前記電子膨張弁について記憶された初期化状態情報および前記位置情報に基づいて、初期化状態の切り替えをパワーアップ段階で完了する、空調システム制御方法。
【請求項１５】
前記空調コントローラが、前記電子膨張弁のパワーを上げるように制御するプログラムの実行を開始するときに、前記空調コントローラまたは前記電子制御ユニットに内蔵された初期化状態切り替えサブユニットを用いて、前記記憶ユニットにより記憶された、前記電子膨張弁の前記初期化状態情報および前記位置情報に基づいて演算を行うことにより初期化状態切り替え信号を取得することと、前記電子膨張弁を制御して、前記電子膨張弁の状態を初期化完了状態へと切り替えさせることと、前記記憶された位置情報を現在の初期位置に設定することと、を含み、これにより前記初期化状態の切り替えを完了させる、請求項１４に記載の空調システム制御方法。
【請求項１６】
前記空調コントローラが、前記電子膨張弁のパワーを上げるように制御するプログラムの実行を開始するときに、
前記空調コントローラを用いて、前記電子膨張弁のパワーを上げるように制御することと、
前記空調コントローラを用いて、ローカルインターネットネットワーク制御モードにおいて、初期化状態切り替え信号と前記記憶された位置情報とを前記電子膨張弁へと送信することと、初期化状態切り替えサブユニットを用いて、前記記憶ユニットにより記憶された前記初期化状態情報および前記位置情報に基づき、前記電子膨張弁の少なくとも前記初期化状態情報および前記位置情報を識別または抽出することにより、初期化状態切り替え信号を前記電子膨張弁へと与えることと、前記受信した初期化状態切り替え信号に基づいて、前記電子膨張弁の前記電子制御ユニットを用いて状態を切り替えることと、前記電子膨張弁の前記電子制御ユニットを用いて、前記記憶した位置情報を受信することにより、前記記憶ユニットにより記憶された前記位置情報を現在の初期位置に設定することと、を含むことにより、前記電子膨張弁の初期化状態の切り替えを完了させるか、または
前記初期化状態切り替えサブユニットを用いて、前記初期化状態情報に含まれる前記初期化完了状態を、前記電子制御ユニットの前記記憶ユニットから読み出すことであって、前記電子膨張弁の状態は前記初期化完了状態である、初期化完了状態を読み出すことと、前記電子制御ユニットを用いて、前記位置情報を読み出し、前記位置情報を前記電子膨張弁の現在の初期位置に設定することと、を含むことにより、前記電子膨張弁の初期化状態の切り替えを完了させるか、または
前記初期化状態切り替えサブユニットを用いて、前記初期化状態情報に含まれる前記初期化完了状態を、前記空調コントローラの前記記憶ユニットから読み出すことであって、前記電子膨張弁の状態は前記初期化完了状態である、初期化完了状態を読み出すことと、前記空調コントローラを用いて、位置を読み出し、前記読み出した位置を現在の初期位置に設定することと、を含むことにより、前記電子膨張弁の初期化状態の切り替えを完了させる、請求項１４または１５に記載の空調システム制御方法。
【請求項１７】
前記空調コントローラが、前記電子膨張弁のパワーを下げるように制御するプログラムの実行を開始するときに、
前記空調コントローラを用いて、ローカルインターネットネットワーク制御モードにおいて前記電子膨張弁と通信することと、前記空調コントローラの前記記憶ユニットを用いて、前記電子膨張弁の位置情報および初期化状態情報を記憶することと、前記電子膨張弁のパワーを通常のやり方で下げるように制御することと、を含むかまたは、
前記空調コントローラを用いて、前記電子膨張弁の前記記憶ユニットを制御し、ローカルインターネットネットワーク制御モードにおいて記憶指令を送信することにより、前記電子膨張弁の前記位置情報および前記初期化状態情報を記憶させることと、前記電子膨張弁が前記位置情報および前記初期化状態情報を記憶した後、前記電子膨張弁を用いて、記憶完了フィードバック信号を前記空調コントローラへと送信することと、前記電子膨張弁のパワーを通常のやり方で下げるように制御することと、を含むかまたは、
前記空調コントローラの前記記憶ユニットを用いて、前記電子膨張弁の前記位置情報および前記初期化状態情報を記憶させることと、前記電子膨張弁のパワーを通常のやり方で下げるように制御することと、を含む、請求項１４から１６のいずれか１つに記載の空調システム制御方法。
【請求項１８】
前記空調コントローラが、前記電子膨張弁のパワーを下げるように制御するプログラムの実行を開始するときに、
前記空調コントローラまたは前記電子制御ユニットを用いて、初期化制御信号を前記電子膨張弁へと送信することにより、前記電子膨張弁が初期化を行うように制御することと、前記初期化が完了した後、前記空調コントローラの前記記憶ユニットまたは前記電子制御ユニットの前記記憶ユニットを制御し、前記電子膨張弁によりフィードバックされた状態情報および位置情報を記憶させることと、を含む、請求項１４から１７のいずれか１つに記載の空調システム制御方法。
【発明の詳細な説明】
【技術分野】
【０００１】
本願は、２０１７年４月１１日に中華人民共和国知識産権局に出願された「熱交換システム、空調制御システムおよび空調システムを制御する方法（HEAT EXCHANGE SYSTEM, AIR CONDITIONER CONTROL SYSTEM AND METHOD FORCONTROLLING AIR CONDITIONER SYSTEM）」と題する中華人民共和国特許出願第２０１７１０２３４９２４.１号に基づく優先権を主張する。本明細書では、この出願の全開示内容を参考のため援用する。また本願は、２０１６年３月２３日に中華人民共和国知識産権局に出願された「空調システム、制御システムおよびその制御方法（AIR CONDITIONER SYSTEM, CONTROL SYSTEM AND CONTROL METHOD THEREFOR）」と題する中華人民共和国特許出願第２０１６１０１６９９８８.３号に基づく優先権を主張する。本明細書では、この出願の全開示内容を参考のため援用する。
本開示は、空調システムの技術分野に関する。具体的には、本開示は、熱交換システム、空調制御システム、および空調システムを制御する方法に関する。
【背景技術】
【０００２】
従来の車両システムにおいて、車両用空調機は主要なエネルギー消費機器の一つである。昨今、車両全体における省エネルギー性向上が一層求められるようになっており、これに応じて車両用空調機の省エネルギーについても徐々に関心が高まりつつある。車両用空調システムにおいては、システムの性能が最適化され得るように、システム中の冷媒流が効果的に制御されることにより、当該空調システムによる省エネルギーにも有益な効果がもたらされる。例えば、電気自動車用の空調システムにおいては、速度を可変に調整可能とする圧縮機が採用され得、その圧縮機において流れを可変とする目的で、運転条件の範囲が広く設定され、開度は電子膨張弁により高精度に調整可能となっている。しかしながら、空調システムにおける電子膨張弁は、当該空調機において熱交換システムが最適化された性能で、信頼性良く動作可能とするためには、実行コンポーネント（execution component）として、合理的な制御論理による制御下にその開度を高精度に調整する必要がある。電子膨張弁の開度調整が乱れると、空調システムの調整が制御不可能な状態にも陥り得る。現在、車両用空調システムにおける全動作プロセスにおいて、電子膨張弁の制御プロセスは、一般に開始段階、動作制御段階、遮断段階等の各種段階を含む。動作制御段階中における調整性能は、空調機のエネルギー消費調整に直接的な影響を与える。したがって、電子膨張弁の開度調整性能をいかに向上させるかが、現在、空調システムの分野における主要な技術開発課題となっている。
【発明の概要】
【０００３】
本開示はこのような技術上の課題を解決するためになされたものであり、その目的とするところは、電子膨張弁に乱れが生じるリスクを低減可能であり、システムの起動時間を短縮可能である、熱交換システム、空調制御システム、および空調システム制御方法を提供することにある。
【０００４】
この目的を達成するために、本開示によれば、以下のような構成を有する空調システムが技術的解決手段として提供される。具体的には、本開示によれば、圧縮機と、第１の熱交換器と、少なくとも１つの蒸発器と、少なくとも１つの電子膨張弁と、を備える熱交換システムが提供される。この熱交換システムにおいて、  
上記第１の熱交換器は、上記圧縮機の吐出口と上記電子膨張弁の入口との間にパイプライン上に配置され、上記蒸発器の出口と上記圧縮機の吸入口とはパイプラインを介して連通しており、上記熱交換システムの制御ユニットは、上記電子膨張弁の開度を制御するように構成されている。
【０００５】
また、上記熱交換システムの上記制御ユニットは、上記電子膨張弁の初期化状態情報を記憶するように構成されており、上記初期化状態情報は少なくとも初期化完了状態を含み、上記電子膨張弁は、上記初期化状態情報に基づいて、初期化状態を初期化完了状態へと切り替え、その後、上記電子膨張弁の開度が調整される。および／または、  
上記熱交換システムの上記制御ユニットは、上記制御ユニットにより記憶された上記電子膨張弁の位置情報に基づいて、上記電子膨張弁の上記位置情報を上記電子膨張弁の初期位置情報として用いるように構成され、上記電子膨張弁は、上記初期位置情報に基づいて上記初期化完了状態になるように調整された後、上記電子膨張弁の開度が調整される。
【０００６】
ある実施の形態では、上記少なくとも１つの蒸発器は第１の蒸発器と第２の蒸発器とを備え、上記少なくとも１つの電子膨張弁は第１の電子膨張弁と第２の電子膨張弁とを備えており、  
上記熱交換システムは第２の熱交換器をさらに備え、上記第２の熱交換器は第１の熱交換部と第２の熱交換部とを備えており、上記第１の熱交換部と上記第２の熱交換部とは互いに熱交換可能に構成されており、  
上記第１の熱交換部は、上記第１の熱交換器の出口と、上記第１の電子膨張弁の入口および上記第２の電子膨張弁の入口の少なくとも１つとの間にパイプライン上に配置され、上記第２の熱交換部は、上記圧縮機の上記吸入口と、上記第１の蒸発器の出口および上記第２の蒸発器の出口の少なくとも１つとの間にパイプライン上に配置され、  
上記熱交換システムにおいて、上記第１の蒸発器および上記第２の蒸発器は並列に配置され、上記第１の電子膨張弁および上記第１の蒸発器は直列に配置され、上記第２の電子膨張弁および上記第２の蒸発器は直列に配置される。
【０００７】
また本開示によれば、以下のような構成を有する空調システムが別の技術的解決手段として提供される。具体的には、本開示によれば、圧縮機と、第１の熱交換器と、第２の熱交換器と、第１の蒸発器と、第２の蒸発器と、第１の電子膨張弁と、第２の電子膨張弁と、を備える熱交換システムが提供される。この熱交換システムにおいて、  
上記第１の熱交換器は、上記圧縮機の吐出口と上記第１の電子膨張弁および上記第２の電子膨張弁のそれぞれの入口との間にパイプライン上に配置され、上記第２の熱交換器は第１の熱交換部と第２の熱交換部とを備えており、上記第１の熱交換部と上記第２の熱交換部とは互いに熱交換可能であり、上記第２の熱交換器の上記第１の熱交換部は、上記第１の熱交換器の出口と、上記第１の電子膨張弁および上記第２の電子膨張弁のそれぞれの入口との間にパイプライン上に配置され、上記第２の熱交換器の上記第２の熱交換部は、上記圧縮機の吸入口と、上記第１の蒸発器および上記第２の蒸発器のそれぞれの吐出口との間にパイプライン上に配置され、上記第１の蒸発器および上記第２の蒸発器は並列に配置され、上記第１の電子膨張弁および上記第１の蒸発器は直列に配置され、上記第２の電子膨張弁および上記第２の蒸発器は直列に配置される。
【０００８】
この空調システムは、上記第１の電子膨張弁および上記第２の電子膨張弁それぞれの開度を調整可能である。パワーを上げられた後であって、それらの開度を調整する前に、上記第１の電子膨張弁および上記第２の電子膨張弁は、上記空調システムにより記憶された初期化状態情報および元の位置情報に基づき初期化切り替えを完了させる。上記第１の電子膨張弁および上記第２の電子膨張弁は、それらの状態を初期化完了状態に調整可能であり、また上記第１の電子膨張弁および上記第２の電子膨張弁は、対応する初期位置情報を取得可能である。
【０００９】
上記熱交換システムのいずれか１つにおいて、ある実施の形態では、上記熱交換システムの上記制御ユニットは、  
空調コントローラと、  
上記電子膨張弁の機械部を動作可能に制御するように構成された、上記電子膨張弁用の電子制御ユニットと、
を備えていてもよい。そのような実施の形態では、熱交換システムにおいて、  
上記空調コントローラまたは上記電子制御ユニットは、初期化状態切り替えサブユニットを備えており、上記初期化状態切り替えサブユニットは、  
上記電子膨張弁の少なくとも上記初期化状態情報を識別または抽出するように構成され、上記電子膨張弁は上記初期化状態情報に従って上記初期化状態を上記初期化完了状態へと切り替え、および／または、  
上記電子膨張弁の上記位置情報を上記電子膨張弁の上記初期位置情報として用いるように構成され、上記電子膨張弁は、上記初期位置情報に基づいて上記初期化完了状態へと調整される。
【００１０】
別の実施の形態では、上記熱交換システムは、加熱換気式空調機冷却システムであってもよい。そのような実施の形態では、上記熱交換システムは第３の電子膨張弁と冷却器とをさらに備え、上記第３の電子膨張弁および上記冷却器は、上記第１の熱交換器の上記出口と上記圧縮機の上記吸入口との間に配置され、上記冷却器は上記第１の蒸発器および上記第２の蒸発器と並列に配置される。
【００１１】
別の実施の形態では、上記熱交換システムは第３の電子膨張弁と冷却器とをさらに備えていてもよい。そのような実施の形態において、上記第３の電子膨張弁および上記冷却器は、上記第１の熱交換器の上記出口と上記圧縮機の上記吸入口との間に配置され、上記冷却器は上記第１の蒸発器および上記第２の蒸発器と並列に配置され、  
上記第３の電子膨張弁および上記冷却器は直列に配置され、バッテリ冷却器が位置する分岐部における冷媒流は、上記第３の電子膨張弁の開度を調整することにより制御され、上記冷却器は発熱部材の温度を低下させるように構成され、上記発熱部材に設けられた冷却素子であり、  
上記第３の電子膨張弁は、上記熱交換システムの上記制御ユニットにより記憶された、上記第３の電子膨張弁の初期化状態情報に基づいて、初期化状態を初期化完了状態へと切り替えた後、上記第３の電子膨張弁の開度が調整され、および／または、  
上記制御ユニットの初期化状態切り替えサブユニットは、上記熱交換システムの上記制御ユニットにより記憶された、上記第３の電子膨張弁の位置情報に基づいて、上記第３の電子膨張弁の位置情報を上記電子膨張弁の初期位置情報として用い、上記電子膨張弁は、上記初期位置情報に基づいて初期化完了状態に調整された後、上記第３の電子膨張弁の開度が調整される。
【００１２】
また本開示によれば、さらに空調制御システムが提供される。この空調制御システムは、空調コントローラと、電子膨張弁の動作を制御する電子制御ユニットと、を備える。この空調制御システムにおいて、  
上記空調コントローラは空調制御中心であって、車両システムまたは制御パネルの制御信号および入力情報のうち少なくとも１つを受信・解析し、上記解析した制御信号を上記電子膨張弁へと送信するように構成され、上記電子膨張弁は上記制御信号に基づいて動作し、  
上記電子制御ユニットは、上記空調コントローラにより送信された制御情報およびセンサ情報のうち少なくとも１つを受信・解析し、上記電子制御ユニットにより記憶され、上記電子膨張弁用にあらかじめ設定された制御プログラム、および上記電子制御ユニットにより記憶されたフィードバック情報のうち少なくとも１つに基づいて演算を行うことにより制御信号を取得し、上記制御信号を、上記電子膨張弁により実現され得る電気量へと変換し、かつ上記電子膨張弁を上記電気量だけ制御するように構成され、  
上記空調コントローラが、上記電子膨張弁の初期化状態情報を記憶するように構成された記憶ユニットを備え、上記初期化状態情報は少なくとも初期化完了状態を含みるかまたは、上記電子制御ユニットが、上記電子膨張弁の初期化状態情報を記憶するように構成された記憶ユニットを備え、  
上記電子膨張弁は、上記記憶ユニットにより提供された、上記電子膨張弁の初期化状態情報に基づいて、初期化状態を初期化完了状態へと切り替える。
【００１３】
ある実施の形態において、上記記憶ユニットは、さらに上記電子膨張弁の位置情報を記憶するように構成され、  
上記記憶ユニットにより提供された上記位置情報と上記初期化状態情報とに基づいて、初期化切り替え信号が得られ、上記電子制御ユニットは、上記電子膨張弁を制御して、上記初期化切り替え信号に基づいて上記初期化状態の切り替えを完了させる。
【００１４】
別の実施の形態において、上記空調コントローラまたは上記電子制御ユニットは、初期化状態切り替えサブユニットを備えており、上記初期化状態切り替えサブユニットは、
上記電子膨張弁の少なくとも上記初期化状態情報を識別または抽出し、上記電子膨張弁を制御して上記初期化状態を上記初期化完了状態へと切り替えさせるように構成され、  
上記記憶ユニットにより記憶された、上記電子膨張弁の位置情報に基づいて、上記電子膨張弁の上記記憶された位置情報を上記電子膨張弁の初期位置情報として用いるように構成されており、これにより上記電子膨張弁は上記初期位置情報を取得し、上記初期位置情報に基づいて上記初期化完了状態へと調整され、その後、上記電子膨張弁の開度が調整される。
【００１５】
別の実施の形態において、上記記憶ユニットは、上記空調コントローラまたは上記電子制御ユニットの中央処理モジュールに配置され、上記記憶ユニットは不揮発性記憶素子であって、  
上記空調コントローラの上記記憶ユニットまたは上記電子制御ユニットの上記記憶ユニットは、上記空調コントローラが上記電子膨張弁のパワーを下げるように制御するプログラムの実行を開始すると、少なくとも上記電子膨張弁の位置情報および初期化状態情報を記憶することにより、初期化状態切り替えサブユニットにより識別されるように構成され、  
上記初期化状態切り替えサブユニットは、上記空調コントローラが上記電子膨張弁のパワーを上げるように制御するプログラムの実行を開始すると、上記記憶ユニットにより記憶された情報に基づいて、上記電子膨張弁の少なくとも初期化状態情報を識別するか抽出し、上記電子膨張弁を制御して上記初期化状態を上記初期化完了状態へと切り替えさせ、上記記憶ユニットにより記憶された、上記電子膨張弁の上記位置情報を初期位置情報として用いるように構成されることにより、上記電子膨張弁は、上記初期位置情報に基づいて上記初期化完了状態へと調整される。
【００１６】
別の実施の形態では、初期化状態切り替え信号は初期化状態情報と位置情報とを備え、上記空調コントローラが、ローカルインターネットネットワーク制御モードにおいて上記初期化状態切り替え信号を上記電子制御ユニットに与え、上記電子制御ユニットが、上記初期化状態切り替え信号を受信することにより上記電子膨張弁の状態を上記初期化完了状態へと切り替え、上記記憶された位置情報を受信することにより上記位置情報を上記電子膨張弁の初期位置情報に設定するように構成されるかまたは、  
上記電子制御ユニットが、上記記憶された初期状態情報に含まれる上記初期化完了状態を読み出し、上記電子膨張弁の状態を上記初期化完了状態へと切り替え、記憶された位置情報を読み出すことにより上記位置情報を上記電子膨張弁の初期位置情報に設定するように構成されるかまたは、  
上記空調コントローラが、上記記憶された初期化状態情報に含まれる上記初期化完了状態と、記憶された位置情報とを読み出し、上記初期化完了状態と上記位置情報とを上記電子制御ユニットへと提供することにより、上記電子膨張弁の状態を上記初期化状態へと切り替え、上記記憶された位置情報を上記電子膨張弁の初期位置情報に設定するように構成される。
【００１７】
別の実施の形態において、上記空調コントローラにより上記電子膨張弁に与えられる初期化状態切り替え信号はＬＩＮ信号であり、上記初期化状態切り替え信号は、少なくとも２ＬＩＮデータバイトからなり、上記２ＬＩＮデータバイトはそれぞれ８データビットからなり、  
記憶された位置情報は、Ｎ番目のバイトの全８ビットと（Ｎ＋１）番目のバイトの下位２ビット（ビット０およびビット１）とにより表され、上記初期化状態情報は（Ｎ＋１）番目のバイトの上位２ビット（ビット６およびビット７）により表され、ここでＮは１以上であり、  
上記空調コントローラは、上記初期化状態情報と、上記記憶された位置情報とを、上記初期化状態切り替え信号により、上記電子膨張弁の上記電子制御ユニットへと送信するように構成される。
【００１８】
別の実施の形態において、上記空調コントローラは、空調システムの主制御パネルに関する入力情報およびセンサ情報のうち少なくとも１つを受信するように構成され、上記電子制御ユニットは、上記空調コントローラにより送信された制御情報およびセンサ情報のうち少なくとも１つを受信・解析し、上記電子制御ユニットにより記憶され、上記電子膨張弁用にあらかじめ設定された制御プログラム、および上記電子制御ユニットにより記憶されたフィードバック情報のうち少なくとも１つに基づいて演算を行うことにより制御信号を取得し、上記制御信号を、上記電子膨張弁により実現され得る電気量へと変換し、かつ上記電子膨張弁を上記電気量だけ制御するように構成され、上記空調コントローラは、上記記憶ユニットを設けることにより、上記電子膨張弁に関する位置情報および初期化状態情報を記憶し、上記記憶した情報を上記電子制御ユニットへと送信し、上記制御信号は少なくとも初期化状態切り替え信号を有するか、または、上記電子制御ユニットは、記憶ユニットを設けることにより、上記フィードバック情報を記憶し、上記フィードバック情報は、少なくとも上記電子制御ユニットの上記記憶ユニットにより記憶された上記初期化状態情報と、上記位置情報と、を有することにより、上記電子制御ユニットにより読み出されるようになっており、  
上記空調コントローラは、空調システムの主制御パネルに関する入力情報およびセンサ情報のうち少なくとも１つを受信し、上記空調コントローラにより記憶され、上記電子膨張弁用にあらかじめ設定された制御プログラム、および上記空調コントローラにより記憶されたフィードバック情報のうち少なくとも１つに基づいて演算を行うことにより制御信号を取得し、上記制御信号を上記電子制御ユニットへと送信するように構成され、上記電子制御ユニットは、上記制御信号を、上記電子膨張弁により実現され得る電気量へと変換し、かつ上記電子膨張弁を上記電気量だけ制御するように構成され、上記空調コントローラにより記憶される上記フィードバック情報は、少なくとも上記初期化状態情報と位置情報とを有する。
【００１９】
別の実施の形態において、上記空調コントローラには中央処理モジュールが設けられ、上記電子膨張弁の上記電子制御ユニットにはＬＩＮ送受信モジュールと、中央処理モジュールと、駆動制御モジュールと、駆動モジュールと、が設けられており、バス送受信モジュールが、ＬＩＮバス上で検出された信号を上記中央処理モジュールへと送信するように構成され、上記中央処理モジュールは、空調システムの主制御パネルから制御情報を受信して解析し、上記電子膨張弁用に解析した制御信号を上記駆動制御モジュールへと送信し、上記電子膨張弁の現在位置情報を記録または記憶し、解析結果に対応するフィードバック信号を、上記バス送受信モジュールを介して上記ＬＩＮバスへと送信するように構成され、上記記憶ユニットは、上記電子制御ユニットの上記中央処理モジュール内に一体的に配置され、上記制御信号が初期化状態切り替え信号を有するか、または上記記憶ユニットが、上記空調コントローラの上記中央処理モジュール内に配置され、  
上記空調コントローラには中央処理モジュールが設けられ、上記電子制御ユニットには駆動制御モジュールと駆動モジュールとが設けられ、上記空調コントローラの上記中央処理モジュールは、入力情報およびセンサ情報のうち少なくとも１つを受信し、上記電子膨張弁用の制御信号を演算により生成し、上記制御信号を上記駆動制御モジュールへと送信し、上記電子膨張弁の現在位置情報を記録または記憶するように構成されており、上記空調コントローラの上記記憶ユニットは上記空調コントローラの上記中央処理モジュール内に一体的に配置され、  
ステッピング駆動制御モジュールが、上記電子膨張弁を制御する上記制御信号であって、上記空調コントローラまたは上記電子制御ユニットの上記中央処理モジュールにより送信される、上記制御信号を受信し、上記制御信号を上記駆動モジュールへと送信するように構成され、上記駆動モジュールは、上記制御信号に対する要件を満たす電気信号を電子コイルに与えるように構成され、上記電気信号を上記電子コイルに印加することにより、ニードル弁が動作可能に制御される。
【００２０】
別の実施の形態では、上記空調制御システムは、上記熱交換システムを備える空調システムを制御するように構成されてもよい。
【００２１】
本開示によれば、さらに、空調システムの電子膨張弁を制御する方法を含む、上記空調システムを制御する方法が提供される。上記電子膨張弁を制御する方法は、空調コントローラが、上記電子膨張弁のパワーを下げるように制御するプログラムの実行を開始するときに、上記空調コントローラまたは電子制御ユニットに内蔵された記憶ユニットにより、上記電子膨張弁の初期化完了状態および位置情報を記憶することと、上記電子膨張弁の上記初期化完了状態および上記位置情報が記憶された後に、上記電子膨張弁のパワーを下げるように制御することと、を含み、上記電子膨張弁は、上記電子膨張弁について記憶された初期化状態情報および上記位置情報に基づいて、初期化状態の切り替えをパワーアップ段階で完了する。
【００２２】
ある実施の形態では、上記方法は、上記空調コントローラが上記電子膨張弁のパワーを上げるように制御するプログラムの実行を開始するときに、上記空調コントローラまたは上記電子制御ユニットに内蔵された初期化状態切り替えサブユニットを用いて、上記記憶ユニットにより記憶された、上記電子膨張弁の上記初期化状態情報および上記位置情報に基づいて演算を行うことにより初期化状態切り替え信号を取得することと、上記電子膨張弁を制御して、上記電子膨張弁の状態を初期化完了状態へと切り替えさせることと、上記記憶された位置情報を現在の初期位置に設定することと、をさらに含み、これにより上記初期化状態の切り替えを完了させる。
【００２３】
別の実施の形態では、上記方法は、上記空調コントローラが上記電子膨張弁のパワーを上げるように制御するプログラムの実行を開始するときに、  
上記空調コントローラを用いて、上記電子膨張弁のパワーを上げるように制御することと、  
上記空調コントローラを用いて、ローカルインターネットネットワーク制御モードにおいて、初期化状態切り替え信号と上記記憶された位置情報とを上記電子膨張弁へと送信することと、初期化状態切り替えサブユニットを用いて、上記記憶ユニットにより記憶された上記初期化状態情報および上記位置情報に基づき、上記電子膨張弁の少なくとも上記初期化状態情報および上記位置情報を識別または抽出することにより、初期化状態切り替え信号を上記電子膨張弁へと与えることと、上記受信した初期化状態切り替え信号に基づいて、上記電子膨張弁の上記電子制御ユニットを用いて状態を切り替えることと、上記電子膨張弁の上記電子制御ユニットを用いて、上記記憶した位置情報を受信することにより、上記記憶ユニットにより記憶された上記位置情報を現在の初期位置に設定することと、を含むことにより、上記電子膨張弁の初期化状態の切り替えを完了させるか、または  
上記初期化状態切り替えサブユニットを用いて、上記初期化状態情報に含まれる上記初期化完了状態を、上記電子制御ユニットの上記記憶ユニットから読み出すことであって、上記電子膨張弁の状態は上記初期化完了状態である、初期化完了状態を読み出すことと、上記電子制御ユニットを用いて、上記位置情報を読み出し、上記位置情報を上記電子膨張弁の現在の初期位置に設定することと、を含むことにより、上記電子膨張弁の初期化状態の切り替えを完了させるか、または  
上記初期化状態切り替えサブユニットを用いて、上記初期化状態情報に含まれる上記初期化完了状態を、上記空調コントローラの上記記憶ユニットから読み出すことであって、上記電子膨張弁の状態は上記初期化完了状態である、初期化完了状態を読み出すことと、上記空調コントローラを用いて、位置を読み出し、上記読み出した位置を現在の初期位置に設定することと、を含むことにより、上記電子膨張弁の初期化状態の切り替えを完了させる。
【００２４】
別の実施の形態では、上記方法は、上記空調コントローラが上記電子膨張弁のパワーを下げるように制御するプログラムの実行を開始するときに、  
上記空調コントローラを用いて、ローカルインターネットネットワーク制御モードにおいて上記電子膨張弁と通信することと、上記空調コントローラの上記記憶ユニットを用いて、上記電子膨張弁の位置情報および初期化状態情報を記憶することと、上記電子膨張弁のパワーを通常のやり方で下げるように制御することと、  
上記空調コントローラを用いて、上記電子膨張弁の上記記憶ユニットを制御し、ローカルインターネットネットワーク制御モードにおいて記憶指令を送信することにより、上記電子膨張弁の上記位置情報および上記初期化状態情報を記憶させることと、上記電子膨張弁が上記位置情報および上記初期化状態情報を記憶した後、上記電子膨張弁を用いて、記憶完了フィードバック信号を上記空調コントローラへと送信することと、上記電子膨張弁のパワーを通常のやり方で下げるように制御することと、を含むかまたは、  
上記空調コントローラの上記記憶ユニットを用いて、上記電子膨張弁の上記位置情報および上記初期化状態情報を記憶させることと、上記電子膨張弁のパワーを通常のやり方で下げるように制御することと、を含む。
【００２５】
別の実施の形態では、上記方法は、上記空調コントローラが上記電子膨張弁のパワーを下げるように制御するプログラムの実行を開始するときに、  
上記空調コントローラまたは上記電子制御ユニットを用いて、初期化制御信号を上記電子膨張弁へと送信することにより、上記電子膨張弁が初期化を行うように制御することと、上記初期化が完了した後、上記空調コントローラの上記記憶ユニットまたは上記電子制御ユニットの上記記憶ユニットを制御し、上記電子膨張弁によりフィードバックされた状態情報および位置情報を記憶させることと、を含む。
【００２６】
別の実施の形態では、上記空調システムは上記熱交換システムを備える。
【００２７】
本開示によれば、上記電子膨張弁のパワーを下げる前に、初期化状態情報および位置情報を記憶させることにより、パワーを再び上げた後、上記電子膨張弁が速やかに初期化完了状態へと移行することが可能になる。これにより従来の技術と比べて、電子膨張弁に乱れが生じるリスクを低減し、システムの起動を短縮することができる。
【図面の簡単な説明】
【００２８】
【図１】図１は、本開示のある実施の形態による空調システムの一部を示す模式図である。
【図２】図２は、本開示の別の実施の形態による空調システムのシステムを示す模式図である。
【図３ａ】図３ａは、本開示のある実施の形態による空調システムの電子制御ユニットを示す図である。
【図３ｂ】図３ｂは、本開示の別の実施の形態による空調システムの電子制御ユニットを示す図である。
【図４】図４は、本開示の別の実施の形態による空調システムの電子制御ユニットを示す図である。
【図５】図５は、図３ａおよび図３ｂに示される電子膨張弁を用いて初期化状態の切り替えを行うＬＩＮ信号の一部のデータセグメントを示す模式図である。
【図６】図６は、図３ａおよび図３ｂに示される電子膨張弁を用いてＬＩＮ制御モードにおける初期化状態の切り替えを制御する方法を示す模式図である。
【図７】図７は、図３ａおよび図３ｂに示される電子膨張弁を用いて初期化状態の切り替えを制御する第２の方法を示す模式図である。
【図８】図８は、図３ａおよび図３ｂに示される電子膨張弁を用いて初期化状態の切り替えを制御する第３の方法を示す模式図である。
【図９】図９は、図３ａおよび図３ｂに示される電子膨張弁を用いて初期化状態の切り替えを制御する第４の方法を示す模式図である。
【図１０】図１０は、図４に示される電子膨張弁を用いて初期化状態の切り替えを制御する第１の方法を示す模式図である。
【図１１】図１１は、図４に示される電子膨張弁を用いて初期化状態の切り替えを制御する第２の方法を示す模式図である。
【発明を実施するための形態】
【００２９】
図１および図２には、ある実施の形態による空調システムが開示されている。この空調システムは、例えば車両用や家庭用空調システムのような、少なくとも１つの熱交換システムを備える。この熱交換システムは、システム冷媒を用いて、環境中の空気、または冷却液と熱交換を行う。この熱交換システムは、冷房機能および／または暖房機能および／または除湿機能を有する。この空調システムは、制御指令に従って冷凍サイクルまたは加熱サイクルを実行し得る。またこの空調システムは、互いに接続された、圧縮機１００、室外熱交換器、室内熱交換器、および少なくとも１つの電子膨張弁（electronic expansion valve (EXV)）により冷媒流路を形成する。さらにこの空調システムは、室内熱交換器が蒸発器として機能するときには冷凍サイクルを行い、室内熱交換器が凝縮器として機能するときには加熱サイクルを行う。例えば、冷凍サイクルは、車両内または室内が涼しくなるように真夏に行われ、加熱サイクルは、車両内または室内が暖かくなるように真冬に行われる。また、車両内に曇りが生じないように、さらには室内空気の湿度が適正に保たれるように、車両内環境または室内環境における空気湿度の調整がなされてもよい。電子膨張弁は、冷凍／加熱サイクル中に内部熱交換器と外部熱交換器との間の冷媒流を調整する絞り部材である。熱交換システムは、圧縮機と、第１の熱交換器と、少なくとも１つの蒸発器と、少なくとも１つの電子膨張弁と、を備える。第１の熱交換器は、圧縮機の吐出口と電子膨張弁の入口との間にパイプライン上に配置され、蒸発器の出口と圧縮機の吸入口とはパイプラインを介して連通している。この熱交換システムの制御ユニットが、電子膨張弁の開度を制御可能であり、また初期化状態情報を記憶する。初期化状態情報は、少なくとも初期化完了状態を含む。この熱交換システムの制御ユニットは、電子膨張弁の初期化状態情報を記憶することもできる。初期化状態情報は、少なくとも初期化完了状態を含み、電子膨張弁はこの初期化状態情報に基づいて初期化状態を初期化完了状態へと切り替える。その後、電子膨張弁の開度が調整される。および／または制御ユニットは、この熱交換システムの制御ユニットにより記憶された電子膨張弁の位置情報に基づいて、電子膨張弁の位置情報を電子膨張弁の初期位置情報として用いる。したがって、電子膨張弁は、初期位置情報に基づいて初期化完了状態になるように調整され得、その後、電子膨張弁の開度が調整される。初期化状態情報および位置情報は、電子膨張弁のパワーが下げられる前に記憶され、パワーを再び上げられた後、電子膨張弁が速やかに現在の位置情報を取得し、速やかに初期化完了状態へと切り替え可能としている。これにより、電子膨張弁に乱れが生じるリスクを低減し、システムの起動時間を短縮し、ひいてはシステムのエネルギー消費を削減することが可能になる。
【００３０】
この熱交換システムの制御ユニットは、空調コントローラと、電子膨張弁用の電子制御ユニットとを備える。電子制御ユニットは、電子膨張弁の機械部を動作可能に制御し得る。空調コントローラまたは電子制御ユニットは、初期化状態切り替えサブユニットを備える。初期化状態切り替えサブユニットは、電子膨張弁の少なくとも初期化状態情報を識別または抽出することができる。電子膨張弁は、初期化状態情報に従って初期化状態を初期化完了状態へと切り替える。および／または、初期化状態切り替えサブユニットは、電子膨張弁の位置情報を電子膨張弁の初期位置情報として用いる。これにより、電子膨張弁は、初期位置情報に基づいて初期化完了状態へと調整され得る。
【００３１】
図１に示す実施の形態において、熱交換システムは、冷媒パイプラインにより互いに接続された、圧縮機１００と、第１の熱交換器２００と、第２の熱交換器３００と、第１の蒸発器４０１と、第２の蒸発器４０２と、第１の電子膨張弁５０１と、第２の電子膨張弁５０２と、を備える。第１の熱交換器２００は、圧縮機１００の吐出口と、第１の電子膨張弁５０１および第２の電子膨張弁５０２それぞれの入口との間に配置される。第２の熱交換器３００は、第１の熱交換部３０１と第２の熱交換部３０２とを備える。第１の熱交換部３０１および第２の熱交換部３０２は、互いに熱交換可能である。第２の熱交換器３００は、２チャネル熱交換器である。第１の熱交換部３０１用チャネルの作動媒体と、第２の熱交換部３０２用チャネルの作動媒体とは、物質移動を伴わない熱伝達方式により互いに接触する。第２の熱交換器３００の第１の熱交換部３０１は、第１の熱交換器２００の出口と、第１の電子膨張弁５０１および第２の電子膨張弁５０２それぞれの入口との間にパイプライン上に配置され、第２の熱交換器３００の第２の熱交換部３０２は、圧縮機１００の吸入口と、第１の蒸発器４０１および第２の蒸発器４０２それぞれの出口との間にパイプライン上に配置される。液体貯蔵装置６００が、第２の熱交換器３００の入口と、蒸発器それぞれの出口との間にパイプライン上に配置され、液体が冷媒から圧縮機へと到達するのを防ぐ。この熱交換システムにおいては、第２の熱交換器３００の出口と、圧縮機の吸入口との間に２つの分岐部が並列に配置される。これら２つの分岐部のうち一方は第１の電子膨張弁５０１と第１の蒸発器４０１とを含み、他方は第２の電子膨張弁５０２と第２の蒸発器４０２とを含む。第１の蒸発器４０１は、第１の電子膨張弁５０１の出口と圧縮機１００の吸入口との間に配置される。第２の蒸発器４０２は、第２の電子膨張弁５０２の出口と圧縮機１００の吸入口との間に配置される。第１の蒸発器４０１および第２の蒸発器４０２は互いに並列に配置され、第１の電子膨張弁５０１および第１の蒸発器４０１は直列に配置され、第２の電子膨張弁５０２および第２の蒸発器４０２は直列に配置される。第１の電子膨張弁５０１および第２の電子膨張弁５０２は、具体的な条件に従って開度を調整することにより、第１の蒸発器４０１および第２の蒸発器４０２がそれぞれ位置する分岐部における冷媒流を効果的に制御することができる。これにより、これらの分岐部間の相互干渉を抑制する。
【００３２】
図２に示す別の実施の形態では、熱交換システムにおいて、第２の熱交換器３００の出口と、圧縮機１００の吸入口との間にもう一つの分岐部が追加して並列に配置される。この分岐部は、第３の電子膨張弁と冷却器とを備える。冷却器は、発熱するバッテリ装置の温度を低下させるバッテリ冷却素子として機能し得る。第３の電子膨張弁および冷却器は直列に配置される。第３の電子膨張弁は、バッテリ冷却器が位置する分岐部における冷媒流を、その開度を調整することにより制御する。なお、以下の第１の電子膨張弁、第２の電子膨張弁および第３の電子膨張弁を制御するシステムと方法の説明では、第１の電子膨張弁、第２の電子膨張弁および第３の電子膨張弁を総称して単に「電子膨張弁（ＥＸＶ）」と称することがある。
【００３３】
例えば蒸発器や凝縮器のような、吸熱装置または熱拡散装置として機能する第１の熱交換器２００は、冷媒を用いて外部環境媒体から熱を吸収するか、または外部環境媒体へと熱を拡散させることができる。例えば蒸発器のような吸熱装置として機能する第２の熱交換器３００は、冷媒を用いて外部環境媒体から熱を吸収する。例えば凝縮器や空冷装置のような熱拡散装置として機能する第３の熱交換器４００は、冷媒を用いて環境媒体へと熱を拡散させる。
【００３４】
図３ａ、図３ｂおよび図４は、この空調システムに含まれる制御システムの３つの実施の形態を模式的に示す。空調制御システムは、空調コントローラ６１と、電子膨張弁の動作を制御する電子制御ユニット６２と、を備える。空調コントローラ６１が、車両システムまたは制御パネル用の制御信号および／または入力情報を受信・解析し、解析した制御信号を電子膨張弁へと送信するように構成されてもよい。電子膨張弁はこの制御信号に応じて動作する。あるいは、電子制御ユニット６２が、空調コントローラ６１により送信された制御情報および／またはセンサ情報を受信・解析し、電子制御ユニット６２により記憶され、電子膨張弁用にあらかじめ設定された制御プログラム、および／または電子制御ユニットにより記憶されたフィードバック情報に基づいて演算を行うことにより制御信号を取得し、その制御信号を電子膨張弁により実現され得る電気量へと変換し、かつ電子膨張弁をその電気量だけ制御するように構成されてもよい。空調コントローラ６１が、電子膨張弁の初期化状態情報を記憶する記憶ユニットを備え、初期化状態情報は少なくとも初期化完了状態を備えてもよいし、または、電子制御ユニットが、電子膨張弁の初期化状態情報を記憶し得る記憶ユニットを備えてもよい。電子膨張弁は、記憶ユニットにより提供された、電子膨張弁の初期化状態情報に基づいて、初期化状態を初期化完了状態へと切り替える。
【００３５】
空調コントローラ６１または電子制御ユニット６２は、初期化状態切り替えサブユニットを備える。初期化状態切り替えサブユニットは、電子膨張弁の少なくとも初期化状態情報を識別または抽出し、電子膨張弁を制御して、初期化状態を初期化完了状態へと切り替えさせる。記憶ユニットは、電子膨張弁の位置情報を記憶する。電子膨張弁の開度が調整される前に、初期化状態切り替えサブユニットは、記憶した電子膨張弁の位置情報に基づいて、電子膨張弁の記憶された位置情報を電子膨張弁の初期位置情報として用いる。これにより電子膨張弁は初期位置情報を取得可能であり、初期位置情報に基づいて初期化完了状態へと調整され得る。したがって、パワーを再び上げられた後、電子膨張弁は現在の位置情報を速やかに取得可能であり、速やかに初期化完了状態へと切り替わり可能である。これにより、電子膨張弁に乱れが生じるリスクを低減し、システムの起動を短縮し、システムのエネルギー消費を削減することができる。
【００３６】
図３ａおよび図３ｂに示すように、空調コントローラ６１は、空調システムの制御中心であって、車両システムまたは制御パネルの制御信号および／または入力情報および／またはセンサ情報を受信・解析し、解析した制御信号をＥＸＶへと送信するように構成される。この制御信号は少なくとも１つの初期化状態切り替え信号を含む。空調コントローラは、ＥＸＶを用いた初期化の目的で機械的操作を行うことなく、その初期化状態切り替え信号に応答してＥＸＶの状態を初期化完了状態へと直接切り替えることができる。これにより機械的摩耗を低減できる。電子制御ユニット６２は、空調コントローラにより送信された制御情報および／またはセンサ情報を受信・解析し、電子制御ユニットにより記憶され、ＥＸＶ用にあらかじめ設定された制御プログラム、および／または電子制御ユニットにより記憶されたフィードバック情報に基づいて演算を行うことにより制御信号を取得するように構成される。ＥＸＶは、電子制御ユニット６２により受信された制御信号に基づいて動作し、制御信号を、ＥＸＶにより実現され得る電気量へと変換し、かつＥＸＶをその電気量に基づいて動作するように制御する。
【００３７】
空調コントローラまたは電子制御ユニットは、初期化状態切り替えサブユニットを備える。初期化状態切り替えサブユニットは、いずれかのＥＸＶの少なくとも初期化状態情報を識別または抽出し、および／または初期化状態切り替え信号をいずれかのＥＸＶに与え得る。空調コントローラ６１により記憶された、ＥＸＶの識別された初期化状態情報および位置情報に基づいて、初期化状態切り替えサブユニットは、初期化状態切り替え信号をいずれかのＥＸＶに与えることにより、初期化状態を切り替えてもよい。初期化状態情報は、少なくとも初期化完了状態を含むが、初期化未完了状態をさらに含んでもよい。空調コントローラ６１は記憶ユニットを備える。記憶ユニットはＥＸＶの位置情報を記憶することができ、さらに初期化状態情報を記憶することもできる。これにより初期化状態切り替えサブユニットにより識別されるようにする。
【００３８】
空調コントローラ６１が中央処理モジュールを備え、記憶ユニットは、空調コントローラの中央処理モジュールに一体的に配置されてもよい。あるいは別の実施の形態では、電子制御ユニット６２が記憶ユニットを備えてもよい。記憶ユニットは、ＥＸＶの位置情報と初期化状態情報とを記憶することにより、パワーアップ段階で、記憶されている情報を電子制御ユニットが読み出せるようにする。電子制御ユニット６２は、中央処理モジュール６２１を配置することにより記憶ユニットを設け、その記憶ユニットは、電子制御ユニットの中央処理モジュール内に一体的に配置されてもよい。なおＥＸＶの位置は、ニードル弁が位置する位置により表され得、一般的にはステップ数で表される。例えば、０ステップの位置は、ニードル弁が底部にあることを表しており、その場合、流れは０である。４８０ステップの位置は、弁が頂部にあることを表しており、その場合、流れは最大になる。ＥＸＶには少なくとも３つの状態がある。すなわち、非初期化状態、初期化状態、および初期化完了状態の３つである。ＥＸＶの状態は、空調コントローラまたはＥＸＶの電子制御ユニットにリアルタイムでフィードバックされる。
【００３９】
記憶ユニットは不揮発性記憶素子であって、ＥＸＶのパワーが下げられたときにデータを記憶することにより、パワーを上げられた場合にＥＸＶがそのデータを利用できるようにし得る。パワーアップ段階になるたびに、ＥＸＶは、空調コントローラの記憶ユニットまたは電子制御ユニットの記憶ユニットにより提供された位置情報および初期化状態情報に基づいて、初期化状態切り替え信号を取得し得る。電子制御ユニットは、ＥＸＶを制御し、初期化状態切り替え信号に基づいて、初期化状態の切り替えを完了させる。ＥＸＶは初期位置情報を取得し、その状態を初期化完了状態へと調整し得る。ＥＸＶの元の位置が、後に開度を調整する際の初期位置として用いられる。これにより、ＥＸＶが初期位置を識別不可能な事態や、初期位置を識別した場合でも過剰な偏差が生じる事態を回避できる。その結果、乱れが生じるリスクが低減され、ＥＸＶの調整精度が向上する。またＥＸＶの機械的構造が初期化動作を行うことはない。すなわち、ＥＸＶのパワーアップ段階では初期化が省略される。例えば、全閉からある程度の開度に至るプロセスや、全閉から全開に移行し、その後ある程度の開度に至るプロセスは、ＥＸＶが初期化を行う際には起こらない。これにより、ＥＸＶのパワーアップ起動時間が比較的短くなり、ＥＸＶの電力消費や初期化雑音を低減することもできる。
【００４０】
空調コントローラがＥＸＶのパワーを下げるように制御するプログラムの実行を開始すると、空調コントローラの記憶ユニットまたは電子制御ユニットは、少なくともＥＸＶの初期化完了状態および位置情報を記憶し得る。空調コントローラがＥＸＶのパワーを上げるように制御するプログラムの実行を開始すると、空調コントローラまたは電子制御ユニットは、内蔵された初期化状態切り替えサブユニットを用いて、記憶ユニットにより記憶された電子膨張弁の初期化完了状態および位置情報に基づいて、初期化状態切り替え信号を取得し、ＥＸＶがその状態を初期化完了状態へと切り替えるように制御し、記憶した位置情報を現在の初期位置に設定することにより、初期化状態の切り替えを完了させる。
【００４１】
図３ａおよび図３ｂに示す制御システムの実施の形態において、制御システムはＬＩＮ制御システムであって、ローカルインターネットネットワーク（ＬＩＮ）制御モードで信号を送信するように構成される。このＬＩＮ制御システムは、主ノードと複数の従ノードとを有する。この実施の形態において、空調コントローラ６１（例えばＨＶＡＣ制御器）は、ＬＩＮ主ノードまたはＬＩＮバスとして機能し、ＥＸＶは、ＬＩＮ従ノードの１つとして機能する。パワーアップ段階におけるＥＸＶの初期化プロセスが省略されることにより、ＥＸＶが位置するノードの電力消費を比較的低くすることが可能になり、ＬＩＮネットワーク全体の電力消費を比較的低くし、例えばエンジン室内等の高温環境においても車両の環境温度を間接的に低下させることも可能になる。ひいては各装置の性能の信頼性を向上させることも可能になる。
【００４２】
電子制御ユニット６２は、上記中央処理モジュール６２１と、バス信号送受信モジュール（ＬＩＮ送受信モジュール６２２）と、ステッピング駆動制御モジュール６２３と、駆動モジュール６２４と、を備える。電子制御ユニットは、ロータのようなＥＸＶの機械部、送信部、およびステッピングモータ（図示せず）のニードル弁を動作可能に制御するように構成される。具体的には、ロータは、この電子制御ユニットにより回転可能なように制御され得、そのロータの回転によりニードル弁を上下動させることが可能になる。これにより、ニードル弁の位置を調整して開度を制御することが可能になる。ＥＸＶのパワーアップ開始段階において、ＥＸＶは、記憶ユニットにより記憶された情報を取得することにより、ＥＸＶの位置を調整し、ＥＸＶの状態を初期化完了状態へと調整する。これにより乱れが生じるリスクが低減され、ＥＸＶの調整精度が向上し、パワーアップ段階における初期較正が省略可能になる。その結果、初期化を比較的長期間何度も繰り返すことにより生じるＥＸＶの機械的摩耗を低減し、製品の寿命を延ばすことが可能になる。
【００４３】
ＬＩＮ送受信モジュール６２２は、ＬＩＮバス上で検出された信号を中央処理モジュールへと送信するように構成される。
【００４４】
中央処理モジュール６２１は、信号を解析することにより解析結果を得、ＬＩＮ信号送信モジュール１３を用いて、解析結果に対応するフィードバック信号をＬＩＮバスに送信するように構成される。
【００４５】
また中央処理モジュール６２１は、空調システムの主制御パネルから制御情報を受信・解析し、解析したＥＸＶ用の制御信号を駆動制御モジュールへと送信し、ＥＸＶの現在位置情報を記録または記憶し、解析結果に対応するフィードバック信号を、バス送受信モジュールを介してＬＩＮバスへと送信するように構成される。
【００４６】
駆動制御モジュール６２３は、空調コントローラの中央処理モジュールまたは電子制御ユニットにより送信された、ＥＸＶを制御するための制御信号を受信し、その制御信号を駆動モジュールへと送信するように構成される。
【００４７】
駆動モジュール６２４は、制御信号の要件を満たす電気信号を電子コイルに与えるように構成される。ここで、その電気信号は、ニードル弁が動作するように制御する。
【００４８】
電子制御ユニットが記憶ユニットを設けることにより、ＥＸＶの位置情報と初期化状態情報とを記憶する場合、ＥＸＶは、パワーを上げられるときに、記憶された初期化状態情報に含まれる初期化完了状態を読み出し、ＥＸＶの状態を初期化完了状態へと切り替える。また電子制御ユニットは、記憶した位置情報を読み出し、記憶した位置情報をＥＸＶの現在の初期位置として設定し得る。
【００４９】
あるいは、空調コントローラが記憶ユニットを設けることにより、ＥＸＶの位置情報と初期化状態情報とを記憶する場合、ＥＸＶのパワーダウン段階において、位置情報および初期化状態情報が、ＥＸＶから空調コントローラへと送信され、ＬＩＮ信号の形で記憶される。パワーが上げられる場合、空調コントローラは、ＬＩＮ制御モードにおいて初期化状態切り替え信号をＥＸＶの電子制御ユニットへと送信し、初期化状態切り替信号は、初期化状態切り替え信号と、記憶された位置情報と、を有する。電子制御ユニットは、初期化状態切り替え信号を受信し、ＥＸＶの状態を初期化完了状態へと切り替える。電子制御ユニットは記憶された位置情報を受信し、記憶した位置情報をＥＸＶの現在の初期位置に設定することにより、ＥＸＶの初期化状態の切り替えを完了させる。
【００５０】
空調コントローラによりＥＸＶに与えられた初期化状態切り替え信号は、ＬＩＮ信号である。図５に示すように、ＬＩＮ信号は、少なくとも２ＬＩＮデータバイトを含み、それらのデータバイトはそれぞれ８データビットを含む。位置情報は、以下のようにＬＩＮ位置信号により表される。Ｎ番目のバイトの全８ビットと、（Ｎ＋１）番目のバイトの下位２ビット（ビット０およびビット１）は、ＥＸＶの現在位置を表すのに用いられる。初期化状態情報は（Ｎ＋１）番目のバイトの上位２ビット（ビット６およびビット７）により表される。ここでＮは１以上である。初期化状態切り替え信号に含まれる２セグメントを用いることにより、ＬＩＮ主ノードは、状態情報と、記憶した位置情報とをＥＸＶの電気部へと送信し得る。他のＬＩＮ信号は、ＬＩＮフレームのデータに応答して、上記２つの信号の規定を参照することにより、規定され得る。
【００５１】
図４に示す別の実施の形態による空調制御システムにおいて、空調コントローラ６３は、ＥＸＶの電子制御ユニット内に一体的に配置され得る。
【００５２】
空調コントローラ６３は、空調システムの主制御パネルに関する入力情報および／またはセンサ情報を受信し、空調コントローラにより記憶され、ＥＸＶ用にあらかじめ設定された制御プログラム、および／または空調コントローラにより記憶されたフィードバック情報に基づいて演算を行うことにより制御信号を取得し、その制御信号を電子制御ユニット６４へと送信するように構成される。ここで、フィードバック情報は、少なくとも空調コントローラの記憶ユニットにより記憶された、初期化状態情報と位置情報とを有する。
【００５３】
電子制御ユニット６４は、制御信号を、ＥＸＶにより実現され得る電気量へと変換し、かつＥＸＶをその電気量だけ制御するように構成される。
【００５４】
空調コントローラには中央処理モジュール６３０が設けられ、ＥＸＶの電子制御ユニット６４には駆動制御モジュール６４１と駆動モジュール６４２とが設けられる。空調コントローラの中央処理モジュールは、入力情報および／またはセンサ情報を受信し、ＥＸＶ用の制御信号を演算により生成し、その制御信号を駆動制御モジュールへと送信し、ＥＸＶの現在位置情報を記録または記憶するように構成される。ＥＸＶのパワーダウン段階において、位置情報および初期化状態情報は、空調コントローラ６３の中央処理モジュール内、または設けられた記憶ユニット内に変数のかたちで記憶される。空調コントローラまたは電子制御ユニットには、初期化状態切り替えサブユニットが設けられる。初期化状態切り替えサブユニットは、少なくともいずれかのＥＸＶについて記憶された初期化状態情報を識別または抽出し、および／または初期化状態切り替え信号をいずれかのＥＸＶに与え得る。初期化状態切り替えサブユニットは、ＥＸＶの識別された初期化状態情報および記憶された位置情報に基づいて、初期化状態切り替え信号をいずれかのＥＸＶに与えることにより、初期化状態を切り替え得る。
【００５５】
この実施の形態において、空調コントローラの記憶ユニットおよび初期化状態切り替えサブユニットは、空調コントローラの中央処理モジュール６３０内に一体的に配置される。ＥＸＶのパワーアップ段階において、初期化状態切り替えサブユニットは、記憶ユニットにより記憶された、初期状態情報に含まれる初期化完了状態を読み出し得、また記憶された位置情報も読み出し得る。また、記憶した位置情報をＥＸＶの現在の初期位置に設定することにより、電子制御ユニットが初期化状態へと状態を切り替え可能とし、記憶した位置情報をＥＸＶの現在の初期位置として設定可能である。
【００５６】
次に図６から図１１を参照する。図６〜図１１は、図３ａ、図３ｂおよび図４にそれぞれ示された３種類の空調システムの制御方法を示す。この制御方法は、ＥＸＶを制御する方法を含む。
【００５７】
空調コントローラがＥＸＶのパワーを下げるように制御するプログラムの実行を開始すると、空調コントローラに内蔵された記憶ユニットまたは電子制御ユニットは、ＥＸＶの初期化完了状態および位置情報を記憶した後、ＥＸＶのパワーを下げるように制御する。これにより、ＥＸＶは、パワーアップ段階で開度を調整する以前に、初期状態の切り替えを完了させ、開度を調整する際には、高精度な初期開度を基礎として与えることができる。
【００５８】
空調コントローラが、記憶ユニットにより記憶されたＥＸＶの初期化完了状態および位置情報に基づいて、ＥＸＶのパワーを上げるように制御するプログラムの実行を開始すると、ＥＸＶはその状態を初期化完了状態へと切り替え、位置情報を現在の初期位置に設定することにより、初期状態の切り替えを完了する。
【００５９】
図６に示すように、空調コントローラは、ローカルインターネットネットワーク制御モードでＥＸＶと通信する。ＥＸＶのパワーダウン段階において、この方法は、以下に述べるステップＳ１１からＳ１３を有する。
【００６０】
ステップＳ１１において、空調コントローラが、ＥＸＶのパワーを下げるように制御するプログラムの実行を開始する。
【００６１】
ステップＳ１２において、位置情報および初期化状態情報が、ＥＸＶから空調コントローラの記憶ユニットへとフィードバックされ、ＬＩＮ信号のかたちで記憶される。
【００６２】
ステップＳ１３において、ＥＸＶはそのパワーを下げるように制御され、この方法が終了する。
【００６３】
ＥＸＶのパワーアップ段階において、この方法は、以下に述べるステップＳ２１からＳ２４を有する。
【００６４】
ステップＳ２１において、空調コントローラがＥＸＶのパワーを上げるように制御する。
【００６５】
ステップＳ２２において、初期化状態切り替えサブユニットが、初期化状態切り替え信号および記憶した位置情報を、ＬＩＮモードでＥＸＶに送信する。
【００６６】
次にステップＳ２３において、ＥＸＶの電子制御ユニットが、受信した初期化状態切り替え信号に基づいて状態を切り替え、ＥＸＶの状態を初期化完了状態へと切り替える。ここで初期化状態切り替え信号は、初期化状態切り替えサブユニットにより与えられる。またＥＸＶの電子制御ユニットは、記憶した位置情報を受信し、その記憶した位置情報をＥＸＶの現在の初期位置に設定する。
【００６７】
ステップＳ２４において、ＥＸＶは初期化状態の切り替えを完了させる。
【００６８】
次に図７を参照する。図７は、別の実施の形態によるＥＸＶ制御方法を示す。この実施の形態では、ＥＸＶはパワーを下げられる前に、初期化動作を少なくとも１回行う。このＥＸＶのパワーダウン段階に適用する方法は、ステップＳ３１からＳ３６を有する。
【００６９】
ステップＳ３１において、空調コントローラが、ＥＸＶのパワーを下げるように制御するプログラムの実行を開始する。
【００７０】
ステップＳ３２において、空調コントローラは、初期化制御信号をＥＸＶへと送信する。
【００７１】
ステップＳ３３において、ＥＸＶは初期化を行うように制御される。これにより、ＥＸＶに乱れが生じるリスクをさらに低減させる。
【００７２】
ステップＳ３４において、初期化が完了した後、ＥＸＶは状態情報および位置情報を空調コントローラ（ＬＩＮ主ノード）にフィードバックする。
【００７３】
ステップＳ３５において、空調コントローラの記憶ユニットが、ＥＸＶによりフィードバックされた状態情報および位置情報を記憶する。
【００７４】
ステップＳ３６において、ＥＸＶはそのパワーを下げるように制御され、この方法が終了する。
【００７５】
ＥＸＶのパワーアップ段階については、図６に示されるパワーアップ段階についての説明を参照されたい。
【００７６】
次に図８を参照する。図８は、図３ａおよび図３ｂに示される空調システムに適用する方法の第３の実施の形態を模式的に示す。この実施の形態において、ＥＸＶの位置情報および初期化状態情報は、ＥＸＶのパワーが下げられる前に、ＥＸＶの電子制御ユニットの記憶ユニットに記憶される。
【００７７】
ＥＸＶのパワーダウン段階において、この方法は、以下に示すステップＳ４１からＳ４５を有する。
【００７８】
ステップＳ４１において、空調コントローラが、ＥＸＶのパワーを下げるように制御するプログラムの実行を開始する。
【００７９】
ステップＳ４２、Ｓ４３において、空調コントローラは、ＥＸＶの記憶ユニットを制御して、ローカルインターネットネットワーク制御モードで記憶指令を送信することにより、位置情報および初期化状態情報を記憶させる。
【００８０】
それらの情報を記憶した後、ステップＳ４４において、ＥＸＶが記憶完了フィードバック信号を空調コントローラへと送信する。
【００８１】
ステップＳ４５において、ＥＸＶはそのパワーを下げるように制御され、この方法が終了する。
【００８２】
ＥＸＶのパワーアップ段階において、この方法は、以下に示すステップＳ５１からＳ５４を有する。
【００８３】
ステップＳ５１において、空調コントローラがＥＸＶのパワーを上げるように制御する。
【００８４】
ステップＳ５２において、ＥＸＶの電子制御ユニットに含まれる初期化状態切り替えサブユニットが、その電子制御ユニットの記憶ユニットから、初期化状態情報に含まれる初期化完了状態を読み出すことにより、ＥＸＶを初期化完了状態に移行させる。
【００８５】
ステップＳ５３において、ＥＸＶの電子制御ユニットが位置を読み出し、その読み出した位置をＥＸＶの現在の初期位置に設定する。
【００８６】
ステップＳ５４において、ＥＸＶは初期化状態の切り替えを完了する。
【００８７】
次に図９を参照する。図９は、ＥＸＶを制御する方法を示し、図３ａおよび図３ｂに示される空調システムに適用する方法の第４の実施の形態を模式的に示す。この実施の形態において、上述した第３の実施の形態と同様に、パワーが下げられる前に、ＥＸＶは初期化動作を少なくとも１回行う。この方法は、以下に述べるステップＳ６１からＳ６６を有する。
【００８８】
ステップＳ６１において、空調コントローラが、ＥＸＶのパワーを下げるように制御するプログラムの実行を開始する。
【００８９】
ステップＳ６２において、空調コントローラは、初期化制御信号をＥＸＶへと送信する。
【００９０】
ステップＳ６３において、ＥＸＶは初期化を行うように制御される。
【００９１】
ステップＳ６４において、初期化が完了した後、電子制御ユニットの記憶ユニットが、ＥＸＶによりフィードバックされた状態情報および位置情報を記憶するように制御される。
【００９２】
ステップＳ６５において、ＥＸＶは、状態情報および位置情報が無事記憶されたことを示すフィードバック信号を空調コントローラ（ＬＩＮ主ノード）へと送信する。
【００９３】
ステップＳ６６において、ＥＸＶはそのパワーを下げるように制御され、この方法が終了する。
【００９４】
ＥＸＶのパワーアップ段階については、図８に示される各ステップについての説明を参照されたい。
【００９５】
次に図１０を参照する。図１０は、ＥＸＶを制御する方法を示し、図４に示される空調システムに適用する方法の第１の実施の形態を模式的に示す。この実施の形態において、空調コントローラ６３は、ＥＸＶの電子制御ユニット内に一体的に配置され得る。
【００９６】
ＥＸＶのパワーダウン段階において、この方法は、以下に述べるステップＳ７１からＳ７３を有する。
【００９７】
ステップＳ７１において、空調コントローラが、ＥＸＶのパワーを下げるように制御するプログラムの実行を開始する。
【００９８】
ステップＳ７２において、位置情報および初期化状態情報が、空調コントローラの記憶ユニット内に変数のかたちで記憶される。
【００９９】
ステップＳ７３において、ＥＸＶはそのパワーを下げるように制御され、この方法が終了する。
【０１００】
ＥＸＶのパワーアップ段階において、この方法は、以下に述べるステップＳ８１からＳ８４を有する。
【０１０１】
ステップＳ８１において、空調コントローラのパワーが上げられる。
【０１０２】
ステップＳ８２において、初期化状態切り替えサブユニットが、初期化状態情報に含まれる初期化完了状態をその記憶ユニットから読み出すことにより、ＥＸＶの状態が初期化完了状態に移行するようにする。
【０１０３】
ステップＳ８３において、初期化状態切り替えサブユニットは位置をその記憶ユニットから読み出し、読み出した位置をＥＸＶの現在の初期位置に設定する。
【０１０４】
ステップＳ８４において、ＥＸＶは、初期状態の切り替えを完了する。
【０１０５】
次に図１１を参照する。図１１は、ＥＸＶを制御する方法を示し、図４に示される空調システムに適用する方法の第２の実施の形態を模式的に示す。この実施の形態において、パワーが下げられる前に、ＥＸＶは初期化動作を少なくとも１回行う。ＥＸＶのパワーダウン段階において、この方法は、以下に述べるステップＳ９１からＳ９４を有する。
【０１０６】
ステップＳ９１において、空調コントローラが、ＥＸＶのパワーを下げるように制御するプログラムの実行を開始する。
【０１０７】
ステップＳ９２において、空調コントローラは、ＥＸＶが初期化を行うように制御する。これにより、ＥＸＶに乱れが生じるリスクをさらに低減させる。
【０１０８】
ステップＳ９３において、ＥＸＶによる初期化が完了した後、空調コントローラの記憶ユニットが、ＥＸＶの状態情報および位置情報を記憶するように制御される。
【０１０９】
ステップＳ９４において、ＥＸＶはそのパワーを下げるように制御され、この方法が終了する。
【０１１０】
ＥＸＶのパワーアップ段階については、図１０に示されるパワーアップ段階についての説明を参照されたい。
【０１１１】
以上にその概略を説明した空調システムを制御する方法において、パワーダウン段階中に初期化が行われるかどうかに関わらず、位置情報、初期化状態情報における初期化完了状態、およびＥＸＶの初期化状態の切り替えが影響を受けることはない。さらには、ＥＸＶの状態情報および位置情報を記憶する機能ユニットとして働く記憶ユニットは、車両用空調機においてＥＸＶの電子制御ユニット、ＬＩＮ主ノード、中央処理モジュールまたはその他のモジュールのいずれに配置されてもよい。
【０１１２】
以上の説明は、本開示の好ましい実施の形態を示すものにすぎず、いかなる意味でも本開示を限定するものではない。また本開示は、以上に好ましい実施の形態のかたちで提示されたが、本開示はそれらの好ましい実施の形態に限定されるわけではない。本開示により提供された技術的解決手段に対して様々な変更・改変を施すことは、当業者には容易であり、また以上に開示した方法および技術内容を用いて、本開示により提供された技術的解決手段の範囲を超えることなく、それらの技術的解決手段を等価な変更を施して等価な実施の形態に改変することも、当業者には容易である。したがって、本開示の技術的本質に基づき、本開示により提供される技術的解決手段の内容から逸脱することなく、以上に述べた実施の形態に対して、様々なかたちで単純な変更を施し、等価な変形・改変を施すことは、すべて本開示により提供される技術的解決手段の権利保護範囲内に入るものである。
【図１】
2018527545.tif 000003
【図２】
2018527545.tif 000004
【図３ａ】
2018527545.tif 000005
【図３ｂ】
2018527545.tif 000006
【図４】
2018527545.tif 000007
【図５】
2018527545.tif 000008
【図６】
2018527545.tif 000009
【図７】
2018527545.tif 000010
【図８】
2018527545.tif 000011
【図９】
2018527545.tif 000012
【図１０】
2018527545.tif 000013
【図１１】
2018527545.tif 000014
【国際調査報告】
2018527545.tif 000015
2018527545.tif 000016
2018527545.tif 000017
2018527545.tif 000018